(57)【要約】【課題】接合による不良が発生し難く、確実に製造できる収納ホルダを提供する。【解決手段】ベースシート２に第１ポケットシート３を接合して形成する第１ポケット部４と、第１ポケットシート３に第２ポケットシート５を接合して形成する第２ポケット部６とを具備する。第１ポケットシート３は、第１ヒンジ部13を有する。第２ポケットシート５は、形成する第２ヒンジ部20を有する。そして、製造に際しては、第１ヒンジ部13と第２ヒンジ部20とを重ね合わせて第１ポケットシート３と第２ポケットシート５とを接合する。また、第１ポケットシート３を内側にして、第１ポケットシート３および第２ポケットシート５を第１ヒンジ部13および第２ヒンジ部20にて折曲する。さらに、第１ヒンジ部13の内面側がベースシート２の端部に接触して、ベースシート２を挟むように第１ポケットシート３をベースシート２に接合する。【選択図】図１
2009241390.tif 000002
【特許請求の範囲】
【請求項１】
合成樹脂製のベースシートと、
このベースシートに合成樹脂製の第１ポケットシートを接合して形成された第１ポケット部と、
前記第１ポケットシートに合成樹脂製の第２ポケットシートを接合して形成された第２ポケット部とを具備する収納ホルダであって、
前記第１ポケットシートは、二つの大ポケット面部を形成する第１ヒンジ部を有し、
前記第２ポケットシートは、二つの小ポケット面部を形成する第２ヒンジ部を有し、
前記第１ポケットシートおよび前記第２ポケットシートは、前記第１ヒンジ部と前記第２ヒンジ部とが重ね合わされて接合され、この第１ポケットシートおよび第２ポケットシートが前記第１ポケットシートを内側にして前記第１ヒンジ部および前記第２ヒンジ部にて折曲されて、前記第１ヒンジ部の内面側が前記ベースシートの端部に接触して前記ベースシートを挟むように前記第１ポケットシートが前記ベースシートに接合されている
ことを特徴とする収納ホルダ。
【請求項２】
第２ヒンジ部は、第１ヒンジ部より幅方向の長さが長く形成されている
ことを特徴とする請求項１記載の収納ホルダ。
【発明の詳細な説明】
【技術分野】
【０００１】
本発明は、例えば、書類やカード、小冊子等の被収納物を収納する収納ホルダに関する。
【背景技術】
【０００２】
この種の収納ホルダは、例えば合成樹脂等により略矩形状に形成され、書類やカード、小冊子等の被収納物を収納するものである。
【０００３】
従来、このような収納ホルダとしては、第１ポケット部を形成する第１の主面部材および第２の主面部材と、前記第２の主面部材に一体的に設けられ第２ポケット部を形成するポケット部材とを備え、前記第１の主面部材と第２の主面部材とを重ね合わせ、さらに、前記第１の主面部材と前記ポケット部材とを重ね合わせて、前記ポケット部材の両側端部を第１の主面部材に溶着したものが知られている。この収納ホルダでは、例えば、前記第１ポケット部に書類や小冊子等の被収納物を収納し、前記第２ポケット部に前記第１ポケット部内の被収納物に関する名刺やカード等の被収納物を収納し、被収納物を整理して収納できる（例えば、特許文献１参照。）。
【特許文献１】実用新案登録第３０７３２７７号公報（第２−７頁、図１−３）
【発明の開示】
【発明が解決しようとする課題】
【０００４】
しかしながら、上述した特許文献１の収納ホルダでは、第２ポケット部を形成する際に、第１の主面部材と第２の主面部材とを重ねた状態でポケット部材を第１の主面部材に溶着するので、溶着する際に、前記第１の主面部材と前記ポケット部材との溶着による溶着熱が前記第２の主面部材にまで及ぶ可能性がある。そして、その溶着熱にて前記第１の主面部材と前記第２の主面部材とが溶着されてしまうことにより、第１ポケット部に不良が発生するおそれがあるので、確実に製造できない問題が考えられる。
【０００５】
本発明はこのような点に鑑みなされたもので、接合による不良が発生し難く、確実に製造できる収納ホルダを提供する。
【課題を解決するための手段】
【０００６】
請求項１に記載された収納ホルダは、合成樹脂製のベースシートと、このベースシートに合成樹脂製の第１ポケットシートを接合して形成された第１ポケット部と、前記第１ポケットシートに合成樹脂製の第２ポケットシートを接合して形成された第２ポケット部とを具備する収納ホルダであって、前記第１ポケットシートは、二つの大ポケット面部を形成する第１ヒンジ部を有し、前記第２ポケットシートは、二つの小ポケット面部を形成する第２ヒンジ部を有し、前記第１ポケットシートおよび前記第２ポケットシートは、前記第１ヒンジ部と前記第２ヒンジ部とが重ね合わせて接合され、この第１ポケットシートおよび第２ポケットシートが前記第１ポケットシートを内側にして前記第１ヒンジ部および前記第２ヒンジ部にて折曲されて、前記第１ヒンジ部の内面側が前記ベースシートの端部に接触して前記ベースシートを挟むように前記第１ポケットシートが前記ベースシートに接合されているものである。
【０００７】
請求項２に記載された収納ホルダは、請求項１に記載された収納ホルダにおいて、第２ヒンジ部は、第１ヒンジ部より幅方向の長さが長く形成されているものである。
【発明の効果】
【０００８】
請求項１に記載された発明によれば、第１ポケットシートと第２ポケットシートとが接合され、この第１ポケットシートおよび第２ポケットシートが折曲されてベースシートを挟むように前記第１ポケットシートが前記ベースシートに接合されることにより、前記ベースシートと前記第１ポケットシートと前記第２ポケットシートとを正確に接合できるので、接合による不良が発生し難く、確実に製造できる。
【０００９】
また、前記第１ポケットシートが第１ヒンジ部を有し、前記第２ポケットシートが第２ヒンジ部を有することにより、前記第１ポケットシートおよび前記第２ポケットシートを正確に折曲し易いので、確実に製造できる。
【００１０】
請求項２に記載された発明によれば、第２ヒンジ部は、幅方向の長さが第１ヒンジ部の幅方向の長さより長く形成されていることにより、前記第１ヒンジ部と第２ヒンジ部との位置決めが容易にできるので、より確実に製造できる。
【発明を実施するための最良の形態】
【００１１】
以下、本発明の一実施の形態の構成について図１ないし図５を参照しながら詳細に説明する。
【００１２】
図１に示される収納ホルダ１は、合成樹脂製のベースシート２を備えている。
【００１３】
また、このベースシート２には、合成樹脂製の第１ポケットシート３が例えば溶着等により接合され第１ポケット部４が形成されている。
【００１４】
さらに、第１ポケットシート３のベースシート２に接合された面の反対側面には、合成樹脂製の第２ポケットシート５が例えば溶着等により接合され第２ポケット部６が形成されている。
【００１５】
ベースシート２は、略矩形状に形成され、長手方向の略中心には、被綴込面部７が形成されている。この被綴込面部７には、例えば円形等に形成された綴込孔８が設けられ、図示しない例えばファイルやバインダ等の綴込部材に綴じ込んで収納ホルダ１を収納できる。また、被綴込面部７には、この被綴込面部７の長手方向すなわちベースシート２の幅方向に沿って複数の折曲線９が設けられ、綴込部材に綴じ込んで収納する際に、第１ポケット部４および第２ポケット部６の収納量により折曲する折曲線９を選択できる。
【００１６】
さらに、ベースシート２には、被綴込面部７にて２つのポケット形成面部10が形成されている。そして、これら各ポケット形成面部10に第１ポケットシート３を接合して第１ポケット部４が形成されている。
【００１７】
図２に示されるように、第１ポケットシート３は、二つの大ポケット面部12を形成する第１ヒンジ部13を有している。大ポケット面部12は長辺14と短辺15とを有した略台形状の形状であり、二つの大ポケット面部12は第１ヒンジ部13を中心として対称な形状に形成されている。そして、第１ポケットシート３の大ポケット面部12がベースシート２のポケット形成面部10に接合されて、第１ポケット部４が形成される。また、大ポケット面部12の第１ヒンジ部13に対向する端部にて第１ポケット部４の開口部16が形成される。さらに、開口部16となる大ポケット面部12の第１ヒンジ部13に対向する端部には、切り欠き17が形成されている。
【００１８】
図３に示されるように、第２ポケットシート５は、二つの小ポケット面部19を形成する第２ヒンジ部20を有している。小ポケット面部19は、略矩形状であり大ポケット面部12より面積が小さく形成されている。また、二つの小ポケット面部19は第２ヒンジ部20を中心として対称な形状に形成され、小ポケット面部19の第２ヒンジ部20に対向する端部にはフラップ片21が設けられている。そして、第２ポケットシート５の小ポケット面部19が第１ポケットシート３の大ポケット面部12に接合されて第２ポケット部６が形成される。また、第２ヒンジ部20に対向する端部にて第２ポケット部６の開口部22が形成される。さらに、開口部22となる小ポケット面部19の第２ヒンジ部20に対向する端部には、切り欠き23が形成されている。
【００１９】
図４に示されるように、収納ホルダ１の第１ポケットシート３および第２ポケットシート５は、第１ヒンジ部13と第２ヒンジ部20とを重ね合わせた状態で、小ポケット面部19の第２ヒンジ部20に直交する両端部が大ポケット面部12に接合されて接合部24が形成される。なお、小ポケット面部19に設けられたフラップ片21は、第２ポケット部６の内部側へ折曲される。
【００２０】
接合された第１ポケットシート３および第２ポケットシート５は、第１ポケットシート３を内側にして第１ヒンジ部13および第２ヒンジ部20にて折曲される。この折曲された第１ポケットシート３および第２ポケットシート５は、第１ヒンジ部13の内面側がベースシート２の端部、例えば、ベースシート２におけるポケット形成面部10の被綴込面部７に直交する端部に接触して、ベースシート２を挟むように第１ポケットシート３における大ポケット面部12の長辺14および短辺15がベースシート２におけるポケット形成面部10に接合される。また、この接合により接合部25が形成される。
【００２１】
このように、第１ポケットシート３および第２ポケットシート５が第１ヒンジ部13および第２ヒンジ部20にて折曲された状態にて接合することにより、開口部16および開口部22のみが開口した状態となり第１ポケット部４および第２ポケット部６が形成される。
【００２２】
そして、図５は、図１におけるＡ−Ａ断面図を示すが、ベースシート２のポケット形成面部10の両側面に第１ポケット部４が形成され、これら各第１ポケット部４の外側面に第２ポケット部６が形成される。
【００２３】
ここで、第１ヒンジ部13は、幅方向の長さが０．７ｍｍにて形成され、第２ヒンジ部20は、幅方向の長さが１．４ｍｍにて形成されており、第２ヒンジ部20は、幅方向の長さが第１ヒンジ部13の幅方向の長さより長く形成されている。このような構成にすることにより、第１ヒンジ部13と第２ヒンジ部20とを重ね合わせる際に、位置決めが容易であり、さらに、接合された第１ポケットシート３および第２ポケットシート５を第１ヒンジ部13および第２ヒンジ部20にて折曲し易いので好ましい。
【００２４】
なお、上記の実施の形態の構成は、ベースシート２に被綴込面部７を介して二つのポケット形成面部10が形成され、これら各ポケット形成面部10の両側面に第１ポケット部４および第２ポケット部６が形成された構成としたが、このような構成には限定されず、例えば、ベースシート２にポケット形成面部10を一つだけ形成し、このポケット形成面部10の両側面に第１ポケット部４および第２ポケット部６を設ける構成等、ベースシート２に設けられるポケット形成面部10の数や第１ポケット部４および第２ポケット部６の数は、例えば想定される用途や被収納物等に応じて適宜設定できる。
【００２５】
また、ベースシート２に被綴込面部７および綴込孔８を設け、綴込部材に綴じ込んで使用できる構成としたが、このような構成には限定されず、綴込部材に閉じ込まない例えばクリアファイルタイプの構成としてもよい。
【００２６】
第１ポケットシート３の大ポケット面部12が略台形状に形成された構成としたが、このような構成には限定されず、大ポケット面部12の形状は、例えば想定される用途や被収納物等に応じて、矩形状や三角形状等にて適宜設定できる。
【００２７】
また、第２ポケットシート５は、小ポケット面部19が略矩形状に形成された構成としたが、この構成には限定されず、小ポケット面部19の形状は、例えば想定される用途や被収納物等に応じて、台形状や三角形状等にて適宜設定できる。
【００２８】
さらに、大ポケット面部12と小ポケット面部19とは形状が異なり、小ポケット面部19の面積が大ポケット面部12より小さい構成としたが、このような構成には限定されず、大ポケット面部12と小ポケット面部19との形状および大きさが同じ構成でもよい。
【００２９】
また、第１ポケット部４の開口部16に切り欠き17が設けられ、第２ポケット部６の開口部22に切り欠き23が設けられた構成としたが、このような構成とすることにより、第１ポケット部４および第２ポケット部６を開口する際の開口による応力が切り欠き17および切り欠き23に作用し易くなり、開口による応力が接合部25および接合部24に集中し難くでき、接合部25および接合部24の破損を抑制できるので好ましいが、このような構成には限定されず、切り欠き17および切り欠き23を設けない構成としてもよい。
【００３０】
第１ヒンジ部13の幅方向の長さを０．７ｍｍとし、第２ヒンジ部20の幅方向の長さを１．４ｍｍとする構成したが、このような構成には限定されず、第１ヒンジ部13および第２ヒンジ部20の幅方向の長さは適宜設定できる。
【００３１】
次に、上記一実施の形態の作用および効果を説明する。
【００３２】
収納ホルダ１の製造に際しては、まず、第１ポケットシート３の第１ヒンジ部13と第２ポケットシート５の第２ヒンジ部20とを重ね合わせる。
【００３３】
第２ポケットシート５における小ポケット面部19において、第２ヒンジ部20と直交する両端部を第１ポケットシート３における大ポケット面部12に接合し、接合部24を形成する。
【００３４】
接合された第１ポケットシート３および第２ポケットシート５を、第１ポケットシート３を内側にして第１ヒンジ部13および第２ヒンジ部20にて折曲する。
【００３５】
折曲された第１ポケットシート３および第２ポケットシート５における第１ヒンジ部13の内面側をベースシート２の端部、例えば、ポケット形成面部10の被綴込面部７に直交する端部に接触して、第１ポケットシート３における二つの大ポケット面部12がポケット形成面部10を挟む。
【００３６】
第１ポケットシート３における大ポケット面部12の長辺14および短辺15をベースシート２におけるポケット形成面部10に接合する。
【００３７】
そして、このように製造された収納ホルダ１は、第１ポケットシート３と第２ポケットシート５とが接合され、この接合された第１ポケットシート３および第２ポケットシート５が折曲されてベースシート２を挟むように第１ポケットシート３がベースシート２に接合されることにより、ベースシート２と第１ポケットシート３と第２ポケットシート５とを正確に接合できるので、確実に製造できる。
【００３８】
特に、溶着により接合する場合には、第１ポケットシート３と第２ポケットシート５とを溶着する際の熱がベースシート２に及ぶことによりベースシート２と第１ポケットシート３とが接合部25以外で溶着してしまうおそれを防止できるので、ベースシート２と第１ポケットシート３と第２ポケットシート５とを正確に溶着できる。
【００３９】
また、第１ポケットシート３が第１ヒンジ部13を有し、第２ポケットシート５が第２ヒンジ部20を有することにより、第１ポケットシート３および第２ポケットシート５を正確に折曲し易いので、より確実に製造できる。
【００４０】
さらに、ベースシート２を挟むように第１ポケットシート３および第２ポケットシート５を折曲して接合することにより、ベースシート２と第１ポケットシート３の接合箇所は、接合部25だけであり、第１ポケットシート３と第２ポケットシート５との接合箇所は、接合部24だけであり、第１ポケット部４および第２ポケット部６それぞれの底部となる端部を接合する必要がないので、接合箇所を抑えることができる。また、ベースシート２の幅方向すなわち被綴込面部７と平行な方向の幅を最大限に利用して第１ポケット部４を形成できる。このように第１ポケット部４を形成できることにより、収納した被収納物がベースシート２からはみ出さないように、想定される被収納物よりベースシート２を一回り大きく成形する必要がない。したがって、収納ホルダ１またはこの収納ホルダ１が綴じ込まれた綴込部材を例えばデスクや本棚等に収納する際に、収納ホルダ１またはこの収納ホルダ１が綴じ込まれた綴込部材が他の物品と同じ高さになるので収納時の景観が良好である。
【００４１】
第２ヒンジ部20は、幅方向の長さが第１ヒンジ部13の幅方向の長さより長く形成されていることにより、第１ヒンジ部13と第２ヒンジ部20とを重ね合わせる際に、位置決めが容易にできる。
【００４２】
ここで、第１ヒンジ部13および第２ヒンジ部20の幅方向の長さが同じであると、接合された第１ポケットシート３および第２ポケットシート５を、第１ポケットシート３を内側にして第１ヒンジ部13および第２ヒンジ部20にて折曲するためには、第１ヒンジ部13と第２ヒンジ部20とを正確に重ね合わせなくてはならない。しかし、特許文献１の収納ホルダのような、一方の主面部材のシートの折り曲げ部に隣接する１辺からポケット部材が延出するように形成されている場合とは異なり、収納ホルダ１では、第１ポケットシート３と第２ポケットシート５とが別体で形成されているため、位置決めし難い。そして、第１ヒンジ部13と第２ヒンジ部20とが正確に重ね合わされず、ずれた状態で第１ポケットシート３と第２ポケットシート５とを接合すると、第１ヒンジ部13の折り目方向と第２ヒンジ部20の折り目方向とが一致しないため、接合された第１ポケットシート３および第２ポケットシート５は、正確に折曲できず、この状態でベースシート２に接合することは困難である。
【００４３】
しかしながら、第２ヒンジ部20の幅方向の長さが、第１ヒンジ部13の幅方向の長さより長い構成であれば、第１ヒンジ部13と第２ヒンジ部20とが正確に重ね合わされず、第１ヒンジ部13の折り目方向と第２ヒンジ部20の折り目方向とが一致しない状態にて、第１ポケットシート３と第２ポケットシート５とを接合した場合であっても、第１ポケットシート３の折曲方向と第２ポケットシート５の折曲方向とがずれた状態で折曲することにより発生する第１ポケットシート３および第２ポケットシート５の歪みを第１ヒンジ部13と第２ヒンジ部20との間の空隙にて吸収できる。したがって、接合された第１ポケットシート３および第２ポケットシート５は正確に折曲でき、このように折曲された第１ポケットシート３および第２ポケットシート５であればベースシート２に接合できるので、位置決めが比較的容易でありながら、成形不良が発生し難く、より確実に収納ホルダ１を製造できる。
【００４４】
また、第２ヒンジ部20の幅方向の長さが第１ヒンジ部13の幅方向の長さより短い構成であっても、第１ヒンジ部13と第２ヒンジ部20との位置決めを容易にできるが、第１ポケットシート３および第２ポケットシート５は、第１ポケットシート３を内側にして折曲するので、この構成では、第１ポケットシート３および第２ポケットシート５を折曲し難い。したがって、第２ヒンジ部20の幅方向の長さが、第１ヒンジ部13の幅方向の長さより長いことにより、第１ヒンジ部13と第２ヒンジ部20との位置決めが容易にでき、さらに、第１ポケットシート３および第２ポケットシート５を折曲し易い。
【図面の簡単な説明】
【００４５】
【図１】本発明の収納ホルダにおける一実施の形態を示す平面図である。
【図２】同上収納ホルダにおける第１ポケットシートを示す平面図である。
【図３】同上収納ホルダにおける第２ポケットシートを示す平面図である。
【図４】同上収納ホルダにおける接合された第１ポケットシートおよび第２ポケットシートを示す平面図である。
【図５】同上収納ホルダの図１におけるＡ−Ａ断面図である。
【符号の説明】
【００４６】
１    収納ホルダ
２    ベースシート
３    第１ポケットシート
４    第１ポケット部
５    第２ポケットシート
６    第２ポケット部
12    大ポケット面部
13    第１ヒンジ部
19    小ポケット面部
20    第２ヒンジ部
【図１】
2009241390.tif 000003
【図２】
2009241390.tif 000004
【図３】
2009241390.tif 000005
【図４】
2009241390.tif 000006
【図５】
2009241390.tif 000007